(57)【特許請求の範囲】
【請求項１】
ディスク(D)が転がるガイドレール(40)と、
取り付け装置(53)によって、前記ガイドレール(40)と所定距離離れて配置され、かつ、少なくとも前記ガイドレール(40)との距離が変更可能であるゲージ装置(50)と、
前記ゲージ装置(50)の下流に位置し、かつ、ゲージ装置の移動に連動して前記ガイドレール(40)との距離が変更可能である前記ディスク(D)の検知センサ(92)と、
を含むディスクの選別装置。
【請求項２】
前記ゲージ装置(50)が取り付け装置(53)を含み、前記取り付け装置(53)が、ベース(20)に設けたベース取り付け部(54)と、前記ゲージ装置(50)に設けたゲージ取り付け部(55)とを含む請求項１のディスクの選別装置。
【請求項３】
前記ベース取り付け部(54)が複数である請求項２のディスクの選別装置。
【請求項４】
前記ベース取り付け部(54)が円錐形ピン(56A、56B)であり、前記ゲージ取り付け部(55)が嵌合孔(57A、57B、57C)と保持片(59)とを含む請求項２または３のディスクの選別装置。
【請求項５】
前記検知センサ(92)が、前記ゲージ装置(50)に取り付けられている請求項１のディスクの選別装置。
【請求項６】
前記ガイドレール(40)は、湾曲部(40B)が金属であり、その他は樹脂である請求項１のディスクの選別装置。
【請求項７】
ディスク(D)が転がるガイドレール(40)と、
取り付け装置(53)によって、前記ガイドレール(40)と所定距離離れて配置されたゲージ装置(50)と、
前記ガイドレール(40)の下流に位置し、所定の軸線回りに回動可能であり、かつ、前記軸線を中心とする曲率を有する弧状ガイド板(96)と、
前記ゲージ装置(50)の下流に配置され、かつ、前記弧状ガイド板(96)の前記軸線の回りの回動位置を調整可能な取り付け装置(99)、及び、
前記ゲージ装置の移動に連動して前記ガイドレール(40)との距離が変更可能である前記ディスク(D)の検知センサ(92)と、
を含むディスクの選別装置。
【発明の詳細な説明】
【技術分野】
【０００１】
本発明は、硬貨、メダル等のディスクを機械的に真正ディスクと偽ディスクとに選別するディスクの選別装置に関する。
特に、パチスロ等のゲーム機に使用するディスク選別装置の改良に関する。
なお、本明細書で使用する「ディスク」は、通貨であるコイン、メダル、代用コイン及び、それらと類似のものを包含する。
【背景技術】
【０００２】
従来のゲーム機に使用するディスク選別装置は、投入口、ゲージ部、キャンセル部、出口及びディスクカウント用のセンサがそれぞれ個別に設けられていた。（例えば、特許文献１参照）
【０００３】
【特許文献１】特許第２７４２７５５号（図１〜図４。１頁〜６頁）。
【０００４】
図12を参照して従来のディスク選別装置200を説明する。
投入口201に投入された真正ディスクＤは、傾斜するガイドレール202上を転がりつつ、ゲージ部203、キャンセル部204の順に通過し、出口205を通って貯留部（図示せず）に到達する。
ゲージ部203は、ガイドレール202と平行にゲージレール202が配置され、小径の偽ディスクＤ１はこのゲージレール206にガイドされずに倒れ、ガイドレール202から落下して振り分けられる。
【０００５】
キャンセル部204は、ゲーム開始に先立ってゲート板207によって閉じられる。
また、所定数のディスクＣを受け入れた後などのゲーム機が真正ディスクを受け入れできないときにゲート板207が移動されてキャンセル部204が開かれ、ディスクＤをキャンセル部204から落下させ、返却する。
具体的には、キャンセル部204の下流に位置するセンサ208がディスクＤを検知しなくなったことをトリガーにしてゲート板207を移動させ、キャンセル部204を開放する。
【０００６】
この構造において、ゲーム者の要望に基づいてスムースにゲームを行うには、ディスクがスムースに転がる必要があるが、従来装置においては不十分であった。すなわち、ゲージ部203とキャンセル部204が直列配置されているため、投入口201から出口205までの経路が長くなってディスクの転がりがスムースでないないものであった。
また、複数種のディスクサイズに対処するため、ディスク通路の幅（ディスクの厚み方向）を広げた場合、ディスクが振動しながら転がるため、スムースに転がらないものであった。
【０００７】
別の問題において、前のディスクＤがキャンセル部204に落下する途中に次のディスクＤが来た時、後のディスクＤが落下途中の前のディスクＤの周面にガイドされてキャンセル部204で落下出来ずに出口205に達してしまう懸念がある。
すなわち、本来ゲーム者に返却されるべきディスクＤ２がゲーム機にポイントを評価されずに受け入れられてしまう、所謂「呑み込み」を生じる恐れがある。
【０００８】
これを防止するため、ディスクＤがキャンセル部204において完全に落下した後、新たなディスクの受け入れを可能にする等の制御を追加せねばならない。
これらの追加制御により、ディスクの転がりが通常と僅かに異なった場合でも、呑み込みやカウントミスを生じることがある。
【０００９】
また別の問題において、ディスク選別装置200は、ゲージ部203をディスクＤの大きさに合わせて設定する必要がある。しかし、従来のディスク選別装置200は、ディスクＤの直径に合わせてゲージレール206とセンサ208をガイドレール202から所定距離離して位置調整するのみであった。
このため、ディスクＤが小径から大径に変わった場合、キャンセル部204が開放位置に移動する途中に次のディスクが通過し、次のディスクＤを受け入れてしまうという「呑み込み」を生じる恐れがある。
【００１０】
これを回避するため、従来は、ディスクＤのサイズが変更された場合、センサ208がディスクを検知しなくなってからキャンセル部204を開放位置に復帰動作するまでの時間を調整することにより対処していた。
このため、ディスクサイズが変更になった場合、前記時間調整作業が必要であった。
【発明の開示】
【発明が解決しようとする課題】
【００１１】
本発明の第１の目的は、ディスクのサイズが変更された場合、キャンセル部の動作タイミングを変更しなくとも良いようにすることである。
本発明の第２の目的は、ディスク選別装置の受入口から出口までのディスクの動きをスムースにすることである。
本発明の第３の目的は、ディスクの「呑み込み」を防止することである。
【課題を解決するための手段】
【００１２】
この目的を達成するため、本発明は以下のように構成されている。
ディスクが転がるガイドレールと、取り付け装置によって、前記ガイドレールと所定距離離れて配置され、かつ、少なくとも前記ガイドレールとの距離が変更可能であるゲージ装置と、前記ゲージ装置の下流に位置し、かつ、ゲージ装置の移動に連動して前記ガイドレールとの距離が変更可能である前記ディスクの検知センサと、を含むディスクの選別装置である。
【００１３】
本発明のディスクの選別装置は、前記ゲージ装置)が取り付け装置を含み、前記取り付け装置が、ベースに設けたベース取り付け部と、前記ゲージ装置に設けたゲージ取り付け部とを含んでいることが好ましい。
【００１４】
本発明のディスクの選別装置は、前記ベース取り付け部が複数であることが好ましい。
【００１５】
本発明のディスクの選別装置は、前記ベース取り付け部が円錐形ピンであり、前記ゲージ取り付け部が嵌合孔と保持片とを含んでいることが好ましい。
【００１６】
本発明のディスクの選別装置は、前記検知センサが、前記ゲージ装置に取り付けられていることが好ましい。
【００１７】
本発明のディスクの選別装置は、前記ガイドレールが、湾曲部が金属であり、その他は樹脂であることが好ましい。
【００１８】
本発明は、ディスクが転がるガイドレールと、取り付け装置によって、前記ガイドレールと所定距離離れて配置されたゲージ装置と、前記ガイドレールの下流に位置し、所定の軸線回りに回動可能であり、かつ、前記軸線を中心とする曲率を有する弧状ガイド板と、前記ゲージ装置の下流に配置され、かつ、前記弧状ガイド板の前記軸線の回りの回動位置を調整可能な取り付け装置、及び、前記ゲージ装置の移動に連動して前記ガイドレールとの距離が変更可能である前記ディスクの検知センサと、を含むディスクの選別装置であることが好ましい。
【発明の効果】
【００１９】
請求項１の構成において、ゲージ装置のキャンセル片は、ディスクを受け入れないとき、移動装置によって非ガイド位置へ移動される。
そのため、真正ディスクはディスクの真偽を判定するゲージ装置でキャンセルされる。
したがって、ディスク真偽の判定部であるゲージ部において、真正ディスクのキャンセルも行うようにしたので、少なくともディスクの転がり経路を、従来のゲート部に相当する長さ分短縮できるので、ディスクの転がりがスムースになると共に選別装置が小型になる。
さらに、ディスクは、自重で倒れ、ガイドレールから外れることによりキャンセルされるので、ディスクに無理な力が加わらない。
結果として、ディスクは、スムース、かつ、素早くキャンセルされる。
また、ディスクはキャンセルされる場合、ガイドレールから垂直落下しないので、後続のディスクが落下途中のディスクに載って出口へ案内されない。
すなわち、「呑み込み」は発生しない。
【００２０】
本発明における、ゲージ装置が、前記ガイドレールに対し受け入れ許容最大径分離れて配置された大径ゲージと、前記大径ゲージの側方であって、かつ、前記ガイドレールに対し受け入れ許容最小径分離れて配置された小径ゲージと、を含み、小径ゲージがキャンセル片である構成において、大径ゲージに並置される小径ゲージは、ディスクを受け入れないとき、非ガイド位置へ移動装置によって移動される。
そのため、真正ディスクは、小径ゲージによって支えられないので、ゲージ装置においてガイドレールから外れて、キャンセルされる。
また、ディスクは、小径ゲージに支えられずに自重によってのみ倒れるので、その倒れ方に無理が無く、スムースに落下する。
【００２１】
ディスクサイズが変更された場合、取り付け装置によってゲージ装置の位置をそのサイズに適合する位置に変更する。
ゲージ装置の位置を適切に設定することにより、ディスクの移動がスムースになる。
また、ゲージ装置の移動に連動し、検知センサはガイドレールに対する位置が変更される。
すなわち、ガイドレールと検知センサの間隔が変更される。
このゲージ装置と検知センサとの間隔を適宜設定することにより、ゲージ装置が移動されたとき、検知センサの位置決めが自動的に行われる。
【００２２】
本発明において、取り付け装置がベースに設けたベース取り付け部と、ゲージ装置に設けたゲージ取り付け部とを含む構成において、ゲージ取り付け部をベース取り付け部に嵌め込むことにより取り付ける構成にした場合、ゲージ装置はワンタッチで取り付けでき、装着が容易である。
【００２３】
本発明において、ベース取り付け部が複数である構成において、ゲージ取り付け部を選択したベース取り付け部に嵌め込むことにより段階的にガイドレールと平行を保ったままゲージ装置の位置調整ができる構成にした場合、ベース取り付け部を予め所定のディスクサイズに合わせて配置することにより、ディスクサイズに対応し、ゲージ装置を適切な位置に取り付けることができる利点がある。
【００２４】
本発明において、ベース取り付け部が円錐形ピンであり、ゲージ取り付け部が嵌合孔と保持片とを含む構成において、嵌合孔を円錐形ピンにあてがって嵌め込むことによりワンタッチでゲージ装置を所定位置に取り付けることができる。
保持片は、円錐形ピンを押すことにより、嵌合孔の周壁とピンとを密着させ、ゲージ装置の位置ずれが発生しないようにしてある。
このため、ワンタッチの取り付け方式にも関わらず、ゲージ装置の位置が固定されるため、ディスクの選別が安定する利点がある。
【００２５】
本発明において、ゲージ装置に検知センサが取り付けられている場合、ゲージ装置の位置変更によって検知センサの位置も変更される。
結果として、ディスクサイズ変更時の調整を個別に行わずとも良く、ディスクサイズ変更時の調整作業が容易である。
【００２６】
本発明において、ガイドレールの湾曲部が金属であり、その他の部位が樹脂である構成において、ディスクは湾曲部においてガイドされて方向転換される。    この方向転換時、ディスクはその重量と遠心力によりガイドレールに押し付けられるため該ガイドレール部との接触圧力が高まる。
このため、ガイドレールが樹脂の場合、湾曲部の磨耗が大きい。耐磨耗性の樹脂を使用した場合、高価であるが、本発明は金属であるから安価である。
【００２７】
本発明において、ディスクが転がるガイドレールと、取り付け装置によって、前記ガイドレールと所定距離離れて配置されたゲージ装置と、前記ガイドレールの下流に位置し、所定の軸線回りに回動可能であり、かつ、前記軸線を中心とする曲率を有する弧状ガイド板と、前記弧状ガイド板の前記軸線の回りの回動位置を調整可能な位置調整装置を前記ゲージ装置の下流に位置し、かつ、ゲージ装置の移動に連動して前記ガイドレールとの距離が変更可能である前記ディスクの検知センサと、を含むディスクの選別装置である場合、弧状ガイドの位置が変わっても、ディスクが落下する位置の曲率は変わらない。
結果として、ディスクは毎回同じように弧状ガイド板に案内されるので、弧状ガイド板を適当な曲率に成型することによりディスクを毎回スムースに誘導できる利点がある。
【発明を実施するための最良の形態】
【００２８】
ディスクが転がり、湾曲部が金属であり、その他は樹脂であるガイドレールと、取り付け装置によって、前記ガイドレールと所定距離離れて配置され、かつ、少なくとも前記ガイドレールとの距離が変更可能であるゲージ装置と、前記ゲージ装置の下流に位置し、かつ、ゲージ装置の移動に連動して前記ガイドレールとの距離が変更可能である前記ディスクの検知センサが前記ゲージ装置とを含み、前記ゲージ装置はが複数の円錐形ピンよりなる取り付け装置を含み、前記取り付け装置が、ベースに設けたベース取り付け部と、前記ゲージ装置に設けた嵌合孔と保持片とを含むゲージ取り付け部とを含むディスクの選別装置である。  
【実施例】
【００２９】
ディスク選別装置１は、図1に示すように投入口２に投入されたディスクＤをゲージ装置５０で選別し、真正ディスクを出口３から排出し、偽ディスク及び受け入れしないディスクをキャンセル部４から排出する。
本発明にかかるディスクの選別装置１は、図２に示すように、ガイドレール４０、ゲージ装置５０（大径ゲージ６０、小径ゲージ７０）、キャンセル片８０及びキャンセル片８０の移動装置７５（図5参照）を含んでいる。
【００３０】
ベース２０は、その左端取り付け部２０Ｌと右端取り付け部２０Ｒがゲーム機の垂直壁（図示せず）に固定されている。
図6に示すように、ベース２０は逆Ｊ形であって耐摩耗性の樹脂により一体成型されている。
図２及び６に示すように、ベース２０には垂直面２１Ａ、湾曲面２１Ｂ及び傾斜面２１Ｃを含むディスク案内面２１が形成されている。
【００３１】
垂直面２１Ａは、鉛直方向に伸びている。
傾斜面２１Ｃは、図8に示すように、水平線に対し約７０度傾いている。
湾曲面２１Ｂは、垂直面２１Ａと傾斜面２１Ｃを緩やかなカーブで接続し、かつ、傾斜面２１Ｃ同様に水平線に対し約７０度傾いている。
【００３２】
垂直面２１Ａの下端と湾曲面２１Ｂの上端は、滑らかな曲面によって接続されている。ディスク案内面２１は、ディスクＤを入口２から出口３へ案内する機能を有していればよい。
したがって、ディスクＤがスムースに移動するよう、摩擦抵抗を減少するため、ディスク案内面２１に溝を形成することができる。
【００３３】
次にガイドレール４０を説明する。
ガイドレール４０は、ディスク案内面２１に対し直角をなし、かつ、大部分において幅がディスクＤの厚みより僅かに広く形成されている。
ガイドレール４０は、垂直ガイドレール４０Ａ、弧状ガイドレール４０Ｂ及び傾斜ガイドレール４０Ｃを含んでいる。
【００３４】
傾斜ガイドレール４０Ｃは、傾斜面２１Ｃに相対位置し、ベース２０と一体に成形され、図6において右下がりに傾斜し、ディスクＤが重力で転がり落ちることができる。弧状ガイドレール４０Ｂは、弧状ガイド面４０Ｅを有する三日月形であって、ステンレス等の金属で作られ、スクリュウ４１によって湾曲面２１Ｂに相対してベース２０に固定されている。
弧状ガイド面４０Ｅは傾斜ガイドレール４０Ｃに実質的に連続している。
【００３５】
垂直ガイドレール４０Ａは、ベース２０と一体に成形され、垂直面２１Ａに相対位置し、弧状ガイド面４０Ｅに実質的に連続している。
弧状ガイドレール４０Ｂは、傾斜ガイドレール４０Ｃ及び垂直ガイドレール４０Ａと一体に樹脂にて成形してもよい。
この場合、少なくとも弧状ガイドレール４０Ｂの弧状ガイド面４０Ｅに金属板等の耐摩耗性を有する材料で作った磨耗防止板を貼り付ける必要がある。
【００３６】
ディスクＤは垂直ガイドレール４０Ａに沿って落下した後、弧状ガイドレール４０Ｂの弧状ガイド面４０Ｅで案内されて方向転換される。
弧状ガイド面４０Ｅは、ディスクＤの重量に加え遠心力を受けるため、ディスクＤの接触圧が高まり、摩耗が早い。
しかし、少なくとも弧状ガイド面４０Ｅが耐摩耗性材料の場合、磨耗を防止することができる。
【００３７】
ステンレスなどの金属を用いた場合、耐摩耗性を有する樹脂を使用するより安価である。
ガイドレール４０は、投入口２に投入されたディスクＤを出口３に案内する機能を有していればよい。
したがって、塵埃の付着によるディスクの転がり不良を防止するため、ガイドレール４０の長手方向に溝を形成してもよい。
【００３８】
次に図3を参照してカバー３０を説明する。
カバー３０にカバー案内面３１が形成されている。
カバー案内面３１は、前記垂直面２１Ａ、湾曲面２１Ｂ及び傾斜面２１Ｃに相対するカバー垂直面３１Ａ、カバー湾曲面３１Ｂ、カバー傾斜面３１Ｃ及びカバー垂直ガイド３１Ｄを有している。
カバー３０は、その上端のオメガ字状の軸受３２をベース２０の上部に形成された軸２２に係止し、ピボット運動可能に取り付けられている。
【００３９】
図７に示すように、カバー垂直面３１Ａ及びカバー湾曲面３１Ｂには、垂直面２１Ａ及び湾曲面２１Ｂとの距離が異なる第１案内面３７Ａと第２案内面３７Ｂが形成されている。
なお、図７の（Ａ）は、カバー３０が大径ディスクに対応して設定された状態、（Ｂ）は、カバー３０が小径ディスクに対応して設置された状態である。
【００４０】
図3に示すように、第１案内面３７ＡはＪ形であって、垂直ガイドレール４０Ａ及び湾曲ガイドレール４０Ｂに沿うよう形成され、垂直面２１Ａ及び湾曲面２１Ｂとの距離は、ディスクＤの厚みよりも僅かに離れている。
第２案内面３７Ｂは、直線状であって、の垂直ガイドレール４０Ａ及び湾曲ガイドレール４０Ｂから遠い位置に形成され、垂直面２１Ａ及び湾曲面２１Ｂに対し、第１案内面３７Ａよりも遠い位置に配置される。
【００４１】
図1に示すように、キャンセルボード３３は、その上端がカバー３０から突出するフック３４によってカバー３０の上端部に固定され、カバー３０と一体にピボット運動可能である。
キャンセルボード３３は、図8に示すように、断面横Ｖ形である。
【００４２】
キャンセルボード３３の上端部とベース２０との間に配置した圧縮スプリング３５Ａ、３５Ｂによって、キャンセルボード３３及びカバー３０は、図8において反時計方向に回転力を与えられ、カバー３０がベース２０に近づくようにしている。
カバー３０とベース２０との間隔、すなわち、垂直面２１Ａとカバー垂直面３１Ａ、湾曲面２１Ｂとカバー湾曲面３１Ｂ及び傾斜面２１Ｃとカバー傾斜面３１Ｃとの間隔は、カバー３０にねじ込んだスクリュウ３６の先端を弧状ガイドレール４０Ｂの側面に突き当てることにより、ディスクＤの厚みよりも僅かに広くなるように設定される。
【００４３】
次にゲージ装置５０を説明する。
ゲージ装置５０は、図２及び図6に示すように、ほぼ台形状のゲージ板５１と、小径ゲージ７０を含んでいる。
ゲージ板５１には、ガイド面５２が形成されている。
ガイド面５２は、左側面の垂直ガイド５２Ａと下面の傾斜ガイド５２Ｃ、及び垂直ガイド５２Ａと傾斜ガイド５２Ｃとを接続する湾曲ガイド５２Ｂが形成されている。
【００４４】
垂直方向に伸びる垂直ガイド５２Ａは垂直ガイドレール４０Ａ及びカバー垂直ガイド３１Ｄに相対し、ディスクＤの直径よりも僅かに離れている。
湾曲ガイド５２Ｂは、弧状ガイドレール４０Ｂに相対し、ディスクＤの直径よりも僅かに離れている。
傾斜して伸びる傾斜ガイド５２Ｃは、傾斜ガイドレール４０Ｃに相対し、かつ、平行に配置されている。
【００４５】
受け入れを許容するディスクＤがスムースに通過できるよう、傾斜ガイドレール４０Ｃと傾斜ガイド５２Ｃの距離は、ディスクＤの直径よりも僅かに離して配置されている。
この離した距離が、ゲージ板５１のその位置でのディスクＤの受け入れ許容最大径である。
【００４６】
すなわち、傾斜ガイド５２Ｃは大径ゲージ６０を兼ねている。
なお、本実施例において、この受け入れ許容最大径は小径ディスクに適応するゲージ板５１の位置と、大径ディスクに適応するゲージ板５１の位置においてそれぞれ設定される。
【００４７】
次に、図２及び６を参照してゲージ板５１の取り付け装置５３を説明する。
ゲージ板５１は、取り付け装置５３によりベース２０の上部に取り付けられている。
取り付け装置５３は、ベース２０の取り付け部５４とゲージ装置５０の取り付け部５５を含んでいる。
ゲージ装置５０は、ベース取り付け部５４にゲージ取り付け部５５を係止することにより、ベース２０にワンタッチで着脱可能に取り付けられる。
【００４８】
ベース取り付け部５４は、左右一対配置されているが、同一構造であるので、同一符号を付してある。
ベース取り付け部５４は、先端が円錐形であって基部が円柱状である第１保持ピン５６Ａがベース２０に固定されている。
同様に形成した第２保持ピン５６Ｂが傾斜ガイドレール４０Ｃに対し４５度傾斜する直線Ｌ上に所定の間隔で配置されている。
【００４９】
ゲージ取り付け部５５は、前記第１ピン５６Ａ及び第２ピン５６Ｂに相対し、ゲージ板５１に形成した第１嵌合孔５７Ａと第２嵌合孔５７Ｂ及び同一線上に配置された第３嵌合孔５７Ｃ及び保持体５８とを含んでいる。
第１から第３嵌合孔５７Ａ、５７Ｂ、５７Ｃは前記第１保持ピン５６Ａ及び第２保持ピン５６Ｂの円柱部に密に填り合う直径に形成されている。
【００５０】
保持体５８は、ゲージ板５１と一体に片持ち状態に形成された保持片５９である。
保持片５９の先端は、第２嵌合孔５７Ｂに挿入された第１保持ピン５６Ａ又は第２保持ピン５６Ｂの周面に接触し、その弾力により押圧してゲージ板５１の位置を保持する。
また、保持ピン５６Ａ及び５６Ｂの側面に形成した溝５６Ｃに保持片５９の側面に形成したフック（図示せず）をフックし、ゲージ板５１の脱落を防止する。
【００５１】
保持体５８は、ゲージ板５１をピン５６Ａ及び５６Ｂに保持する機能を有していればよく、他の構造を採用することができる。
図6に示すように第１保持ピン５６Ａを第１嵌合孔５７Ａ、第２保持ピン５６Ｂを第２嵌合孔５７Ｂに嵌合した場合、ゲージ板５１はガイドレール４０との距離が近くなるため、小径ディスクの選別位置になる。
【００５２】
第１保持ピン５６Ａを第２嵌合孔５７Ｂ、第２保持ピン５６Ｂを第３嵌合孔５７Ｃに嵌合した場合、ゲージ板５１はガイドレール４０との距離が遠くなるので、大径ディスクの選別位置になる。
すなわち、ゲージ板５１は直線Ｌに沿って垂直ガイドレール４０Ａ、弧状ガイドレール４０Ｂ及び傾斜ガイドレール４０Ｃに対し、それぞれ同一量接近し、又は、離れる。
【００５３】
したがって、ゲージ板５１の位置を変更した場合、ディスク通路６２の幅（ディスクの直径方向）は、垂直部通路６２Ａ、湾曲部通路６２Ｂ及び傾斜部通路６２Ｃ全て同一に調整される。
取り付け装置５３は、ゲージ装置５０をベース２０に取り付ける機能を有していればよい。
【００５４】
さらに、取り付け装置５３は、ゲージ装置５０の位置を選別対象ディスクに適合するよう変更する機能を有していることが好ましい。
したがって、取り付け装置５３は、ゲージ装置５０を三段階以上に位置調整可能にしたり、無段階に位置調整可能に構成することができる。
【００５５】
次に図6を参照してディスク通路６２を説明する。
ディスク通路６２は、ベース２０のディスク案内面２１、カバー３０のカバー案内面３１、ガイドレール４０及びゲージ板５２のガイド面５２で囲まれた通路である。
ディスク通路６２は、図２及び６において逆Ｊ形であり、投入口２からほぼ真下に伸びる垂直部通路６２Ａ、湾曲部通路６２Ｂ及び右下がりの傾斜部通路６２Ｃを含んでいる。
【００５６】
次に小径ゲージ７０を説明する。
小径ゲージ７０は傾斜部通路６２Ｃに面して配置されている。
傾斜面２１Ｃに、傾斜ガイドレール４０Ｃ及び傾斜ガイド５２Ｃに沿って矩形の窓７１が形成されている。
図5に示すように、ベース２０の裏面の窓７１の両側に、軸受７２Ａ及び７２Ｂが固定されている。
図8に示すように、軸受７２Ａと７２Ｂには、それぞれ、傾斜面２１Ｃに対し直角方向に平行に伸びる大径ベアリング溝７３Ａ、小径ベアリング溝７３Ｂが形成してある。
【００５７】
小径ゲージ７０は、板状であって両端部に円柱状の枢軸７４が形成してある。
枢軸７４は、傾斜ガイドレール４０Ｃ及び傾斜ガイド５２Ｃに平行に、かつ図8及び図10に図示するように大径ゲージ６０の横に配置されている。
ここで、横とは、窓７１を含む平面に対し直交する方向である。
小径ゲージ７０の先端７０Ｔは、枢軸７４を中心とする円弧に形成されている。
この円弧により、小径ゲージ７０を微調整装置８６で位置調整しても、その先端７０Ｔは、枢軸７４から同一距離になるため、真正ディスクＤを同一姿勢で案内することができる。
【００５８】
枢軸７４を小径ベアリング溝７３Ｂに挿入し、押さえ板（図示せず）で保持してピボット運動可能に構成してある。
これにより、枢軸７４は傾斜ガイドレール４０Ｃ及び大径ゲージ６０である傾斜ガイド５２Ｃと平行に配置されている。
小径ゲージ７０の先端７０Ｔは、窓７１内において、傾斜面２１Ｃを含む平面内の傾斜ガイド５２Ｃの近く配置されている。
【００５９】
先端７０Ｔの下縁７０Ｕの位置は、受け入れを許容する最小ディスクの直径分、換言すると、受け入れを許容しない小径のディスクの直径分、傾斜ガイドレール４０Ｃから離れて配置される。
この位置が、小径ゲージ７０（キャンセル片８０）のガイド位置である。
したがって、小径ゲージ７０の先端７０Ｔは大径ゲージ６０の側方であって、直ぐ近くに配置されている。
【００６０】
真正ディスクＤが傾斜ガイドレール４０Ｃ上を転がるとき、その下端部側面は傾斜面２１Ｃに支えられ、かつ、上端部側面は小径ゲージ７０の先端７０Ｔに支えられて出口３に達することができる。
ディスクＤの直径が受け入れを許容しない小径の場合、ディスクＤの上端部側面は先端７０Ｔに支えられないので、図10に一点鎖線で示すように自重によって窓７１内に倒れる。
結果として、ディスクＤは、傾斜ガイドレール４０Ｃから外れてキャンセル部４で落下する。
すなわち、小径ゲージ７０は、キャンセル片８０を兼ねている。
【００６１】
図２及び４に示すように、キャンセル片８０のディスクの下流側端部からアーム８１が突出し、その先端は、ストッパ８２であって、窓７１の下流端部の傾斜ガイドレール４１Ｃに近接した位置で傾斜部通路６２Ｃに進退する。
すなわち、キャンセル片８０が非ガイド位置に移動されたとき、ストッパ８２は傾斜部通路６２Ｃに位置してディスクＤの移動を強制的に阻止し、キャンセル部４においてキャンセルする。
【００６２】
また、ストッパ８２は、キャンセル片８０がガイド位置にある通常時は、先端が窓７１内に位置して傾斜部通路６２Ｃから退避している。
キャンセル片８０は、ゲージ装置５０の位置において真正ディスクＤを傾斜ガイドレール４０Ｃから外す機能を有していればよい。
ストッパ８２は、必要条件ではないが、備えていることにより、ディスクのキャンセルが確実になり、より好ましい。
【００６３】
次に小径ゲージ７０の移動装置７５を説明する。
移動装置７５は、アクチュエータ７６とリンク機構７７を含んでいる。
リンク機構７７は、スライド板７８とリンク７７Ａを含んでいる。
図5に示すように、スライド板７８は、軸受７２Ａに沿って傾斜ガイドレール４０Ｃに対し直交方向にスライド可能に支持されている。
【００６４】
図9に示すように、スライド板７８にベアリング溝７３Ｂと平行に第１ガイド溝７８Ａ及び第２ガイド溝７８Ｂが形成され、小径ゲージ７０の端面のピン８１が小径ディスクに対応する第２ガイド溝７８Ｂに挿入されている。
図3及び図5に示すように、アクチュエータ７６は、ベース２０に固定されたソレノイド８２、アーマチャー８３及びアーマチャー８３のリターンスプリング８４を含んでいる。
アーマチャー８３の先端にリンク７７Ａが固定され、リンク７７Ａの先端にスライド板７８が固定されている。
【００６５】
したがって、ソレノイド８２が励磁されない場合、アーマチャー８３はリターンスプリング８４によって突出されているので、リンク７７Ａを介してスライド板７８が上方に引き上げられる。
これにより、ガイド溝７８Ｂ及びピン８１を介して小径ゲージ７０は、図8において時計方向に移動され、小径ゲージ７０の上面がベース２０のストッパ２０Ｓ（図3参照）に突き当たって図示の非ガイド位置に保持される。
【００６６】
結果として、真正ディスクＤであっても、その上端部側面は小径ゲージ７０によって支えられない。
したがって、ディスクＤは窓７１内に倒れ、そして、その下端周面は傾斜ガイドレール４０Ｃから外れて自重によってキャンセル部４において落下する。
【００６７】
ソレノイド８２が励磁されたとき、リンク機構７７を介して小径ゲージ７０は図8において反時計方向に回動され、スライド板７８の下面７６Ｕが調整スクリュウ７９の先端に突き当たり、傾斜ガイドレール４０Ｃから所定距離離れたガイド位置に移動され、保持される。
【００６８】
したがって、真正ディスクＤは、その上端部側面が小径ゲージ７０の先端７０Ｔに支えられつつ出口３へ転がる。
受け入れを許容されない小径のディスクは、その上端部側面が先端７０Ｔに支えられないので、自重で窓７１に倒れ、傾斜ガイドレール４０Ｃから外れて落下する。
受け入れを許容されない大径のディスクは、傾斜ガイドレール４０Ｃと傾斜ガイド５２Ｃとの間に詰まって転がり降りることができない。
【００６９】
移動装置７５は、キャンセル片８０をガイド位置と非ガイド位置に移動できる機能を有していればよい。
キャンセルボード３３は、カバー３０が図10において時計方向に動かされたとき、窓７１から傾斜部通路６２Ｃに進出し、その通路にジャムしているディスクＤを押して傾斜ガイドレール４０Ｃから落下させ、キャンセルする。
このカバー３０の移動は、ゲーム機に装着されたキャンセルレバーの操作に連動するようリンクが構成される。
【００７０】
次に小径ゲージ７０の位置微調整装置８６を説明する。
図5に示すようにこの小径ゲージ位置微調整装置８６は、傾斜ガイドレール４０Ｃと小径ゲージ７０の下縁７０Ｕとの距離を微調整する機能を有している。
すなわち、スライド板７８の下面７８Ｕにベース２０の下面にねじ込んだ位置調整スクリュウ７９の先端が突き当たるように配置されている。
したがって、調整スクリュウ７９がストッパである。
【００７１】
スライド板７８は、リターンスプリング８４によって調整スクリュウ７９側に付勢され、許容誤差によって小径ゲージ７０が遊動しないようにしている。
したがって、小径ゲージ７０の先端７０Ｔの下端７０Ｕの位置は、調整スクリュウ７７Ａの先端位置によって決定される。
換言すれば、調整スクリュウ７７Ａのねじ込み量を変更することにより傾斜ガイドレール４０Ｃと先端７０Ｔとの距離を微調整することができる。
調整スクリュウ７７Ａは、ロックナット（図示せず）によりロックされる。
【００７２】
次に小径ゲージ７０のゲージ位置調整装置９０を説明する。
これは、ゲージ板５１が取り付け装置５３によって大きく位置調整されたとき、その位置に適合するよう小径ゲージ７０の位置を変更するために用いられる。
小径ゲージ位置調整装置９０は、図8に示すベアリング溝７３Ａ及び７３Ｂである。
【００７３】
すなわち、枢軸７４を第１ベアリング溝７３Ａに挿入替えし、かつ、調整スクリュウ７７Ａによってスライド板７８の位置を変更し、新たなディスクサイズに適合する位置に小径ゲージ７０をセットする。
なお、ディスクサイズが一種類の場合、小径ゲージ位置微調整装置８６のみであってもよい。
大径ディスクと小径ディスクを選択して用いる場合、小径ゲージ位置微調整装置８６と小径ゲージ位置調整装置９０の両者をゲージ位置調整装置として装着することが好ましい。
【００７４】
次にディスクＤの検知センサ９２を図２及び図11を参照して説明する。
検知センサ９２は、ゲージ板５１の出口３側の端面から傾斜ガイドレール４０Ｃに沿って伸びるステー９３にスクリュー９４によって固定されたブラケット９５に固定されている。
すなわち、検知センサ９２はディスクＤの移動方向において、ゲージ装置５０よりも下流に配置されている。
検知センサ９２は、一対のアームが傾斜部通路６２Ｃを挟んで投光部と受光部が対向している光電式である。
【００７５】
検知センサ９２は、ディスクＤが傾斜部通路６２Ｃを転がるとき、ディスクＤの上端部が光軸Ｒを遮ることを検知することによりディスクＤを検知する。
検知センサ９２は、前記構造から明らかなように、ゲージ板５１と一体化され、一緒に位置調整される。
【００７６】
この構成により、ゲージ板５１は線Ｌに沿って位置調整されるため、図11（実線が大径ディスク用、一点鎖線が小径ディスク用を表す）に示すように、ディスクサイズが変更された場合、検知センサ９２は傾斜ガイドレール４０Ｃに対し接近或いは離れるとともに、垂直ガイドレール４０Ａに対しても接近或いは離れる。
結果として、ディスクサイズが変わっても同一タイミングでディスクＤは光軸Ｒを横切るので、検知センサ９２の位置を個別に位置調整したり、検知タイミングの変更をしなくともい。
【００７７】
次に出口３から排出されたディスクＤのガイド板９６を説明する。
ガイド板９６が装着された場合、ディスクＤが落下するガイド板９６の下端が実質的に出口になる。
ガイド板９６は、傾斜部通路６２Ｃの軸線Ｌ２に交差するようにストップ板９７が形成されている。
【００７８】
図6に示すように、ガイド板９６は、軸線Ｌ２に対し僅かに傾斜してベース２０に固定され、かつ、弧状ガイド面９８が形成されている。
この弧状ガイド面９８は、出口３から所定距離離れて配置されている。
これにより、出口３から排出されたディスクＤが、出口３と弧状ガイド面９８との間で詰まることを防止している。
【００７９】
ガイド板９６は、取り付け装置９９によってベース２０の側面に固定されている。
取り付け装置９９は、ベース２０の端面の弧状溝１００とガイド板９６の端部に形成した弧状フランジ１０１を含んでいる。
弧状溝１００と弧状フランジ１０１とは弧状ガイド面９８と共通の軸心を持つ弧状に形成されている。
また、弧状フランジ１００の側壁には三個の係止孔１０２Ａ、１０２Ｂ、１０２Ｃが前記軸を中心とする円弧上に配置してある。
【００８０】
ベース２０に係止ピン１０３を有する片持ちレバー１０４が設けられている。
フランジ１０１を弧状溝１００に密に挿入することでガイド板９６にベース２０の長手方向の移動が生じないようにし、かつ、係止ピン１０３を係止孔１０２Ａ〜１０２Ｃの何れかに填め込むことにより、ガイド板９６が軸回りに移動しないように取り付けてある。
【００８１】
この構成において、ガイド板９６を軸線回りに回動させて係止ピン１０３を所定の係止孔１０２Ａから１０２Ｃに填め込んだ場合、出口３から排出されるディスクＤと弧状ガイド面９８との位置関係は変わらない。
しかし、ガイド板９６の下端部の位置が変わるので、これによりディスクＤのホッパ等への供給位置を変更する。
ガイド板９６を装着した場合、ガイド板９６の下端部が出口になる。
したがって、出口３から排出されたディスクＤとガイド板９６との位置関係が変わらないので、ガイド板９６での、ディスクＤのスムースな動きを保つことができる。
【００８２】
次に本実施例の作用を説明する。
ゲージ板５１は、図6に示すように小径ディスクに適応するよう取り付けられている。
すなわち、第１保持ピン５６Ａは第１嵌合孔５７Ａに、第２保持ピン５６Ｂは第２嵌合孔５７Ｂに挿入されている。
まず、ディスクＤの受け入れ態勢にあり、かつ、真正ディスクＤを投入口２に投入したケースを説明する。
【００８３】
すなわち、ソレノイド８２が励磁されてアーマチャー８３が引き下げられ、リンク７７Ａを介してスライド板７８が同方向へ移動されて調整スクリュウ７９の頂部にストップされている。
小径ゲージ７０の先端７０Ｔが図10に示すように真正ディスクＤの上端部側面を案内するガイド位置に移動されている。
【００８４】
ディスクＤは垂直面２１Ａ、カバー垂直面３１Ａ、垂直ガイドレール４０Ａ及び垂直ガイド５２Ａに案内されつつ落下する。
ディスクＤはこの途上で湾曲面２１Ｂとカバー湾曲面３１Ｂとにガイドされて水平線に対し約７０傾けられた後、弧状ガイドレール４０Ｂ及び傾斜ガイドレール４０Ｃ上を転がって出口３から弧状ガイド面９８に達する。
ディスクＤは弧状ガイド面９８を滑り落ちて図示しないホッパに供給される。
【００８５】
ディスクＤは、垂直部通路６２Ａ及び湾曲部通路６２Ｂにおいて、図７（Ｂ）に示すようにその上下端部が垂直面２１Ａと湾曲面２１Ｂとに接触し、中央部がカバー案内面３０に近づく。
換言すると、ディスクＤの中央部はベース２０から離れる。
しかし、ディスクＤの直径部は第２案内面３７Ｂ側に位置しているため上下端が垂直面２１Ａと湾曲面２１Ｂに接触せず、かつ、第１ガイド面３７Ａと案内面２１との間隔はディスクＤの厚みよりも僅かに大きい程度である。
【００８６】
結果、ディスクＤは振動せずにスムースに進行できる。
この離れる距離は、直径が大きいディスクほど大きい。
したがって、大径のディスクＤに合わせてこの垂直部通路６２Ａ及び湾曲部通路６２Ｂのベース２０とカバー３０との距離を設定せねばならない。
【００８７】
小径ディスクの場合、湾曲部通路６２Ｂの厚みが厚くなりすぎるため、ディスクＤが振動しつつ移動したり、ディスクが重なったりして、スムースに進行しないことがある。
しかし、本発明の場合、図７（Ｂ）に示すように、小径のディスクＤは、垂直面２１Ａ及び湾曲面２１Ｂとの距離が小さい第１案内面３７Ａに案内されるので、ディスクが振動しつつ移動したり、二枚重なることがなく、スムースに垂直部通路６２Ａ及び湾曲部通路６２Ｂを移動することができる。
【００８８】
大径のディスクの場合、ディスクＤの直径部の上下端は第２案内面３７Ｂに相対するので、垂直面２１Ａ及び湾曲面２１Ｂに接することなく、かつ、第１ガイド面３７Ａと案内面２１との間隔はディスクＤの厚みよりも僅かに大きい程度である。
したがって、この場合もディスクＤは前述同様にスムースに案内される。
また、ディスクＤの上端部側面は小径ゲージ７０の先端７０Ｔによって支えられるため、傾斜ガイドレール４０Ｃから落下しない。
【００８９】
ゲージ装置５０を通過したディスクＤは、検知センサ９２によって検知された後、出口３から円弧ガイド面９８に落下し、円弧ガイド面９８の端部から図示しないホッパに落下する。
【００９０】
次に真正ディスクよりも大径のディスクＤが投入されたケースを説明する。
垂直部通路６２Ａ及び湾曲部通路６２Ｂを通過した大径ディスクＤは、傾斜ガイドレール４０Ｃと傾斜ガイド５２Ｃにより挟まれて転がることができない、すなわち、傾斜部通路６２Ｃで停止される。
この場合、カバー３０及びキャンセルボード３３を軸２２を支点に回動させることにより、キャンセルボード３３の下端部でディスクＤを横方向に押しやり、傾斜ガイドレール４０Ｃから外して落下させ、キャンセルする。
【００９１】
受け入れ許容範囲よりも小さい小径ディスクＤの場合、傾斜ガイドレール４０Ｃを転がるとき、その上端部側面が小径ゲージ７０によって支えられないので窓７１内に倒れる。
結果としてディスクＤは傾斜ガイドレール４０Ｃから外れて落下し、キャンセルされる。
【００９２】
さらに、ディスクＤを受け入れしないとき、ソレノイド８２が消磁され、リターンスプリング８５によってアーマチャー８３、リンク７７Ａ及びスライド板７８が押し上げられ、小径ゲージ７０が図8の非ガイド位置にある。
この状態において投入された真正ディスクＤは、その上端部側面を小径ゲージ７０の先端７０Ｔによって案内されないので窓７１に倒れて傾斜ガイドレール４０Ｃから落下してキャンセルされる。
【図面の簡単な説明】
【００９３】
【図１】図1は、本発明の実施例の全体斜視図である。
【図２】図２は、本発明の実施例のカバーを取り外した正面上方からの分解斜視図である。
【図３】図3は、本発明の実施例の背面上方からの分解斜視図である。
【図４】図4は、本発明の実施例の正面図である。
【図５】図5は、本発明の実施例の背面図である。
【図６】図6は、本発明の実施例のカバーを取り外した正面図である。
【図７】図７は、図4におけるＡ−Ａ断面図である。
【図８】図8は、図4におけるＢ−Ｂ断面図である。
【図９】図9は、図4におけるＣ―Ｃ断面図である。
【図１０】図10は、図4におけるＢ−Ｂ断面における作用説明図である。
【図１１】図11は、本発明の実施例の作用説明図である。
【図１２】図12は、従来例の説明図である。
【符号の説明】
【００９４】
Ｄ            ディスク
２            受入口
３            出口
３７Ａ        第１案内面
３７Ｂ        第２案内面
４０          ガイドレール
４０Ａ        垂直ガイドレール
４０Ｂ        湾曲ガイドレール
４０Ｃ        傾斜ガイドレール
５０          ゲージ装置
５３          取り付け装置
５４          ベース取り付け部
５５          ゲージ取り付け部
５６Ａ、５６Ｂ  円錐形ピン
５７Ａ、５７Ｂ、５７Ｃ  嵌合孔
５９          保持片
６０          大径ゲージ
６２Ａ、６２Ｂ  垂直部通路
６２Ｂ        湾曲部通路
６２Ｃ        傾斜部通路
７０          小径ゲージ
７４          枢軸
７５          移動装置
７９          ストッパ
８０          キャンセル片
９２          検知センサ
９６          弧状ガイド板
９９          位置調整装置
【図１】
0004817149.tif 000002
【図２】
0004817149.tif 000003
【図３】
0004817149.tif 000004
【図４】
0004817149.tif 000005
【図５】
0004817149.tif 000006
【図６】
0004817149.tif 000007
【図７】
0004817149.tif 000008
【図８】
0004817149.tif 000009
【図９】
0004817149.tif 000010
【図１０】
0004817149.tif 000011
【図１１】
0004817149.tif 000012
【図１２】
0004817149.tif 000013